(57)【要約】【課題】  パズルにおいてゲームとしての難度を高める。【解決手段】  底部２ｂの全面に絵柄の素地が形成された収納箱２と、この収納箱２の底部２ｂ上に重ねられる下層ピース群４と、この下層ピース群４に重ねられる上層ピース群５とによって構成されている。下層ピース群４の各ピース４１ない４９を透明材によって形成し、各ピース４１ないし４９に、下地パネル３の素地のうち、真の絵柄とダミーの絵柄以外の部分を目隠しする第１の不透明部４１ａないし４９ａを設ける。上層ピース群５の各ピース５１ないし５９を透明材によって形成し、各ピース５１ないし５９に、少なくともダミーの絵柄を目隠しする第２の不透明部５１ａないし５９ａを設ける。これら第１の不透明部４１ａないし４９ａと第２の不透明部５１ａないし５９ａとの協働で下地パネル３の素地から一つの絵柄７を完成させる。【選択図】  図２
2011041589.tif 000002
【特許請求の範囲】
【請求項１】
一つの絵柄を部分絵柄に分割形成した複数のピースを、平面方向の設置位置を選択して前記一つの絵柄に完成させるパズルであって、
全面に絵柄の素地が形成された素地部材を備え、
前記複数のピースを同一の形状に形成し、これら複数のピースを、前記素地部材上に重ねられる下層ピース群と、この下層ピース群に重ねられる上層ピース群とによって構成し、
前記下層ピース群の各ピースを透明材によって形成するとともに、当該各ピースに、前記素地部材の素地のうち、真の絵柄とダミーの絵柄以外の部分を目隠しする第１の不透明部を設け、
前記上層ピース群の各ピースを透明材によって形成するとともに、当該各ピースに、前記素地部材の素地のうち、少なくとも前記ダミーの絵柄を目隠しする第２の不透明部を設け、これら第１の不透明部と第２の不透明部との協働で前記素地部材の素地から前記一つの絵柄を完成させることを特徴とするパズル。
【請求項２】
一つの絵柄を部分絵柄に分割形成した複数のピースを、平面方向の設置位置を選択して前記一つの絵柄に完成させるパズルであって、
前記複数のピースを同一の形状に形成し、これら複数のピースを、下層に配置する下層ピース群と、この下層ピース群に重ねられる上層ピース群とによって構成し、
前記下層ピース群の各ピースに真の絵柄とダミーの絵柄とを形成し、
前記上層ピース群の各ピースを透明材によって形成するとともに、少なくとも前記ダミーの絵柄を目隠しする不透明部を設けたことを特徴とするパズル。
【請求項３】
前記各ピースを矩形状に形成し、前記下層ピース群と上層ピース群とを二層に収納する収納箱を備え、予めこの収納箱内に前記下層ピース群と前記上層ピース群とを所定の位置に設置した後、上層ピース群のいずれか一つのピースを箱から抜き取り、抜き取った空きスペースを利用して残りの上層ピース群を移動させることにより前記一つの絵柄を完成させることを特徴とする請求項１または２記載のパズル。
【発明の詳細な説明】
【技術分野】
【０００１】
本発明は、部分絵柄が形成された複数のピースを所定の位置に配置することにより一つの絵柄を完成させるパズルに関するものである。
【背景技術】
【０００２】
従来のパズルとしては、それぞれの部分絵柄が形成された８個の駒と、各部分絵柄と絵合わせされることにより、それぞれ一つの絵柄が完成される８個の基準絵柄が形成された一枚のラベルとを備え、このラベルを装置筺体の枠内に敷設させ、ラベルの上に重ねられた８個の駒を一つの駒分の空きスペースを利用して枠内を移動させることにより、８個の絵柄のそれぞれを完成させるものがある（例えば、特許文献１参照）。
【先行技術文献】
【特許文献】
【０００３】
【特許文献１】実用新案登録第２５３７３１１号公報
【発明の概要】
【発明が解決しようとする課題】
【０００４】
上述したような従来のパズルにおいては、予め８個の基準絵柄の位置は決まっているため、基準絵柄の位置を選択する必要がなく、絵柄を完成させるには８個の駒だけを移動させて位置を選択すればよいから、ゲームとしての難度が低いという問題があった。
【０００５】
本発明は上記した従来の問題に鑑みなされたものであり、その目的とするところは、ゲームとしての難度を高めたパズルを提供するところにある。
【課題を解決するための手段】
【０００６】
この目的を達成するために、本発明は、一つの絵柄を部分絵柄に分割形成した複数のピースを、平面方向の設置位置を選択して前記一つの絵柄に完成させるパズルであって、全面に絵柄の素地が形成された素地部材を備え、前記複数のピースを同一の形状に形成し、これら複数のピースを、前記素地部材上に重ねられる下層ピース群と、この下層ピース群に重ねられる上層ピース群とによって構成し、前記下層ピース群の各ピースを透明材によって形成するとともに、当該各ピースに、前記素地部材の素地のうち、真の絵柄とダミーの絵柄以外の部分を目隠しする第１の不透明部を設け、前記上層ピース群の各ピースを透明材によって形成するとともに、当該各ピースに、前記素地部材の素地のうち、少なくとも前記ダミーの絵柄を目隠しする第２の不透明部を設け、これら第１の不透明部と第２の不透明部との協働で前記素地部材の素地から前記一つの絵柄を完成させるものである。
【０００７】
本発明は、一つの絵柄を部分絵柄に分割形成した複数のピースを、平面方向の設置位置を選択して前記一つの絵柄に完成させるパズルであって、前記複数のピースを同一の形状に形成し、これら複数のピースを、下層に配置する下層ピース群と、この下層ピース群に重ねられる上層ピース群とによって構成し、前記下層ピース群の各ピースに真の絵柄とダミーの絵柄とを形成し、前記上層ピース群の各ピースを透明材によって形成するとともに、少なくとも前記ダミーの絵柄を目隠しする不透明部を設けたものである。
【０００８】
本発明は、前記発明のいずれか一つの発明において、前記各ピースを矩形状に形成し、前記下層ピース群と上層ピース群とを二層に収納する収納箱を備え、予めこの収納箱内に前記下層ピース群と前記上層ピース群とを所定の位置に設置した後、上層ピース群のいずれか一つのピースを箱から抜き取り、抜き取った空きスペースを利用して残りの上層ピース群を移動させることにより前記一つの絵柄を完成させるものである。
【発明の効果】
【０００９】
請求項１に係る発明によれば、予め各ピースが上層ピース群なのか下層ピース群なのかが決まっているわけでもなく、かつ上層ピース群の各ピースの位置が決まっていないばかりか、下層ピース群の各ピースの位置も決まっておらず、さらに各ピースの前後方向および左右方向も決まっていないために、ゲームとしての難度が高い。
【００１０】
請求項２に係る発明によれば、上層ピース群の各ピースの位置が決まっていないばかりか、下層ピース群の各ピースの位置も決まっておらず、かつ各ピースの前後方向および左右方向も決まっていないために、ゲームとしての難度が高い。
【００１１】
請求項３に係る発明によれば、同じパズルでゲームとしての難度を高いレベルから低いレベルまで選択することができる。
【図面の簡単な説明】
【００１２】
【図１】本発明に係るパズルの全体の外観を上下方向に分解して示す斜視図である。
【図２】本発明に係るパズルにおいて、一つの絵柄を完成させるための方法を説明するための模式図である。
【図３】本発明に係るパズルにおいて、絵柄が完成する原理を説明するために一部を取り出して示す模式図である。
【図４】本発明に係るパズルにおいて、収納箱から蓋を取り外した状態を示す平面図である。
【図５】本発明に係るパズルにおいて、収納箱から全てのピースを取り出し、ゲームを開始する以前の状態を示す平面図である。
【図６】本発明に係るパズルにおいて、選択した下層のピースを所定の設置位置に設置している状態を示す斜視図である。
【図７】本発明に係るパズルにおいて、全ての下層のピースを収納箱内に収納した状態を示す斜視図である。
【図８】本発明に係るパズルにおいて、選択した上層のピースを所定の下層のピース上に設置している状態を示す斜視図である。
【図９】本発明に係るパズルにおいて、全ての上層のピースを下層のピース上に設置し、一つの絵柄を完成させた状態を示す平面図である。
【図１０】本発明の第２の実施の形態において、一つの絵柄を完成させるための方法を説明するための模式図である。
【図１１】本発明の第２の実施の形態において、絵柄が完成する原理を説明するための模式図である。
【図１２】本発明に係るパズルにおいて、他の遊び方を説明するための平面図である。
【発明を実施するための形態】
【００１３】
以下、本発明の第１の実施の形態を図１ないし図９に基づいて説明する。
〔実施の形態１〕
【００１４】
図１に全体を符号１で示すパズルは、上方に開口２ａが設けられ浅底状で正方形に形成された素地部材としても機能する収納箱２と、この収納箱２の開口２ａから挿入され底部２ｂ上に重ねられる九枚のピース４１ないし４９からなる下層ピース群４と、この下層ピース群４上に重ねられる九枚のピース５１ないし５９からなる上層ピース群５と、収納箱２の開口２ａを覆う蓋６とによって構成されている。
【００１５】
このパズル１は、図２に示すように収納箱２の底部２ｂ上の所定の位置に九枚の下層のピース４１ないし４９を重ね、さらにこれら各ピース４１ないし４９上に所定の九枚の上層のピース５１ないし５９を重ねることにより、九個の部分絵柄２１ａないし２９ａを形成し、これら九個の部分絵柄２１ａないし２９ａにより、一つの動物（本実施例では図形化したパンダの顔）の絵柄７を完成させるゲームである。
【００１６】
収納箱２の底部２ｂの表面全体は、後述する絵柄の素地となる黒色に着色されており、この底部２ｂの表面は、図１に示すように下層ピース群４の九枚のピース４１ないし４９が選択的に所定の位置に重ねられる九個のエリア２１ないし２９に区分されている。
【００１７】
下層ピース群４を構成する九枚のピース４１ないし４９は、いずれも透明材によって同一形状の正方形に形成されている。これらピース４１ないし４９は、図２にハッチングが付されている第１の不透明部４１ａないし４９ａと、ハッチングが付されていない透明部４１ｂないし４９ｂとによって形成されている。第１の不透明部４１ａないし４９ａは、白色に着色されている。透明部４１ｂないし４９ｂは、各ピース４１ないし４９が収納箱２の底部２ｂの九つのエリア２１ないし２９のうちの所定のエリアに重ねられたとき、図３に示すように底部２ｂの素地のうち、真の絵柄としての部分絵柄２１ａないし２９ａとダミーの絵柄２１ｂないし２９ｂ（ダミーの絵柄２２ｂないし２９ｂは図示を省略）とを透視し得るように構成されている。したがって、第１の不透明部４１ａないし４９ａは、収納箱２の底部２ｂの素地のうち、部分絵柄２１ａないし２９ａおよびダミーの絵柄２１ｂないし２９ｂ以外を目隠しすることになる。
【００１８】
上層ピース群５を構成する九枚のピース５１ないし５９は、いずれも透明材によって、上記した下層のピース４１ないし４９と同一形状の正方形に形成されている。これらピース５１ないし５９は、図２にハッチングが付されている第２の不透明部５１ａないし５９ａと、ハッチングが付されていない透明部５１ｂないし５９ｂとによって形成されている。第２の不透明部５１ａないし５９ａは、白色に着色されている。第２の不透明部５１ａないし５９ａは、各ピース５１ないし５９が所定の下層のピース４１ないし４９上に重ねられたとき、少なくともダミーの絵柄３１ｂないし３９ｂを目隠しし、部分絵柄２１ａないし２９ａを形成する。すなわち、第１の不透明部４１ａないし４９ａと第２の不透明部５１ａないし５９ａとの協働で収納箱２の底部２ｂの素地から一つの絵柄７が表現され完成する。
【００１９】
蓋６の表面６ａには、図４に示すように完成させる動物の描写が一つの絵柄７として表示されている。
【００２０】
次に、主に図４ないし図９を用いてパズルを完成させる方法について説明する。先ず、図４に示すように、収納箱２から蓋６を取り外し、収納箱２の開口２ａを開放する。次いで、収納箱２から九枚の下層のピース４１ないし４９と九枚の上層のピース５１ないし５９を取り出し、図５に示すようにテーブル８上にランダムにばらまく。
【００２１】
この状態としてから、蓋６に表示されている絵柄７を手懸かりにしながら、図６に示すように収納箱２の底部２ｂの九個のエリア２１ないし２９のそれぞれに、ピース４１ないし４９およびピース５１ないし５９から下層のピース４１ないし４９を選択し、所定のエリア２１ないし２９上に重ねる。この場合、下層のピース４１ないし４９の前後方向および左右方向を選択した上で所定のエリア２１ないし２９上に重ねる。
【００２２】
図７に示すように、全ての下層のピース４１ないし４９のそれぞれを所定のエリア２１ないし２９のそれぞれに重ね終えたら、所定の部分絵柄２１ａないし２９ａを形成するために、図８に示すように上層のピース５１ないし５９を、所定の下層のピース４１ないし４９のそれぞれに重ねる。この場合、下層のピース４１ないし４９と同様に、上層のピース５１ないし５９の前後方向および左右方向を選択した上で、所定の下層のピース４１ないし４９上に重ねる。
【００２３】
全ての上層のピース５１ないし５９のそれぞれを、所定の下層のピース４１ないし４９上に重ね終えると、図９に示すように、重ね合わされた収納箱２の底部２ｂおよび下層ピース群４ならびに上層ピース群５とによって部分絵柄２１ａないし２９ａが形成され、これら部分絵柄２１ａないし２９ａによって一つの動物の絵柄７が表現され完成する。
【００２４】
このように、一つの絵柄７を完成させるのに、蓋６に付されている絵柄７を手懸かりにしながら、１８枚のピース４１ないし４９およびピース５１ないし５９から、下層のピース４１ないし４９を選択し、収納箱２の底部２ｂの九個のエリア２１ないし２９のそれぞれから、これら下層のピース４１ないし４９のそれぞれを重ねる位置を選択しなければならない。その際に、ピース４１ないし４９の前後方向および左右方向を選択しなければならないために、ゲームとしての難度が高い。
【００２５】
同様に、これら下層のピース４１ないし４９のそれぞれに、上層のピース５１ないし５９を選択しながら重ねる必要があり、この場合もピース５１ないし５９の前後方向および左右方向も選択しなければならないために、ゲームとしての難度がさらに高くなる。
【００２６】
なお、この第１の実施の形態においては、上層ピース群５を下層ピース群とし、下層ピース群４を上層ピース群としてもよい。また、素地部材として、収納箱２の底部２ｂの表面を黒色に着色し、収納箱２を素地部材として機能させたが、収納箱２の底部２ｂ上に全面を黒色に着色した下地パネルを載置させ、下地パネルを素地部材として機能させてもよく、その場合は、収納箱２の底部２ｂの表面を黒色に着色することはない。また、底部２ｂの表面を黒色に着色したが、白色や赤色等、種々の色を選択してもよく、その場合、上層ピース群４の第１の不透明部４１ａないし４９ａおよび上層ピース群５の第２の不透明部５１ａないし５９ａを白色に着色したが、底部２ｂの表面に着色した色と異なる色であればよい。
〔実施の形態２〕
【００２７】
次に、図１０および図１１を用いて、本発明の第２の実施の形態について説明する。この第２の実施の形態のパズル１０１は、図１０に示すように下層ピース群１０４とこの下層ピース群１０４に重ねられる上層ピース群１０５とによって構成され、これら下層ピース群１０４と上層ピース群１０５を収納する第１の実施の形態で説明した収納箱２と蓋６とを備えている。
【００２８】
下層ピース群１０４を構成する九枚のピース１４１ないし１４９は、いずれも透明材によって、上記した第１の実施の形態における下層のピース４１ないし４９と同一形状の正方形に形成されている。これらピース１４１ないし１４９は、絵柄の素地となる黒色に着色した不透明部１４１ｂないし１４９ｂと、それ以外の透明部１４１ａないし１４９ａとによって形成されている。不透明部１４１ｂないし１４９ｂは、図１１（Ｂ）に示すように、真の絵柄１４１ｃないし１４９ｃ（真の絵柄１４２ｃないし１４９ｃは図示せず）と、ダミーの絵柄１４１ｄないし１４９ｄ（ダミー絵柄１４２ｄないし１４９ｄは図示せず）とによって形成されている。
【００２９】
上層ピース群１０５を構成する九枚のピース１５１ないし１５９は、いずれも透明材によって、上記した下層のピース１４１ないし１４９と同一形状の正方形に形成されている。これらピース１５１ないし１５９は、図１１（Ａ）にハッチングが付されていない透明部１５１ａないし１５９ａと、ハッチングが付されている白色に着色した不透明部１５１ｂないし１５９ｂとによって形成されている。不透明部１５１ｂないし１５９ｂは、各ピース１５１ないし１５９が所定の下層のピース１４１ないし１４９上に重ねられたとき、少なくともダミーの絵柄１４１ｄないし１４９ｄ（ダミー絵柄１４２ｄないし１４９ｄは図示せず）を目隠しし、部分絵柄１４１ｃないし１４９ｃを形成する。
【００３０】
このような構成において、パズルを完成させるには、蓋６に付されている絵柄７を手懸かりにしながら、収納箱２の底部２ｂの所定の位置に、図１０に示すように下層のピース１４１ないし１４９を重ねる。
【００３１】
次いで、上層のピース１５１ないし１５９を、所定の下層のピース１４１ないし１４９のそれぞれに重ねることにより、所定の部分絵柄１４１ｃないし１４９ｃが形成され、これら部分絵柄１４１ｃないし１４９ｃによって一つの動物の絵柄１０７が表現され完成する。
【００３２】
この第２の実施の形態においては、上述した第１の実施の形態と比較すると、下層ピース群１０４と上層ピース群１０５との判別がつくので、その分だけ難度は低くなるが、下層のピース１４１ないし１４９を収納箱２の底部２ｂの所定の位置に位置付けるための難度や、上層のピース１５１ないし１５９を所定の下層のピース１４１ないし１４９に重ねるための難度は上述した第１の実施の形態と同程度であり、ゲームとしての難度は依然として高い。
【００３３】
なお、下層のピース群１０４の不透明部１４１ｂないし１４９ｂを黒色に着色したが、白色や赤色等、種々の色を選択してもよく、その場合、上層ピース群１０５の第２の不透明部１５１ｂないし１５９ｂを白色に着色したが、不透明部１４１ｂないし１４９ｂの表面に塗装した色と異なる色であればよい。また、上述した第１および第２の実施の形態においては、ピース４１ないし４９およびピース５１ないし５９を正方形に形成した例を説明したが、同じ形状の長方形でもよい。
【００３４】
次に、図１２を用いて、このように構成された第１および第２の実施の形態のパズルを使って他の遊び方について説明する。上記した第１の実施の形態のパズル１において、一つの絵柄７を完成させた状態で、図１２に示すように上層のピース５１ないし５９のうちの任意の一枚のピース５９を収納箱２から取り外す。ピース５９を取り外すことにより、ピース４９の上方にピース一枚分の空きスペースが設けられる。この空きスペースを設けることにより、この空きスペースに隣接するピース５６を手前方向に移動したり、ピース５８を右方に移動させることにより、この空きスペースを利用して他の上層のピース５１ないし５８を順次前後方向または左右方向に移動させる。
【００３５】
この移動を繰り返し、上層のピース５１ないし５８を図１２に示すような配置とすることにより、再び、一つの絵柄７を表現させ完成させる。この場合は、下層のピース４１ないし４９は位置を選択する必要がなく、かつ上層のピース５１ないし５８は前後方向および左右方向も選択する必要がないため、ゲームとしての難度は上記した第１および第２の実施の形態と比較して相対的に低くなる。このように、同じパズルを使って、ゲームとしての難度を選択することができる。
【００３６】
なお、図１２を用いて説明した実施例では、ピース５９を収納箱２から取り外すようにしたが、取り外すピースは、他のピース５１ないし５８のいずれか一つでもよい。また、第１の実施の形態のパズル１を用いて説明したが、第２の実施の形態のパズル１０１においても、上層のピース１５１ないし１５９のいずれか一つのピースを収納箱２から取り外すことによって同様な遊び方が可能なことは言うまでのないことである。
【符号の説明】
【００３７】
１，１０１…パズル、２…収納箱、２１ａないし２９ａ…真の絵柄（部分絵柄）、２１ｂないし２１ｂ…ダミーの絵柄、４…下層ピース群、４１ないし４９…下層のピース、４１ａないし４９ａ…第１の不透明部、５…上層ピース群、５１ないし５９…上層のピース、５１ａないし５９ａ…第２の不透明部、６…蓋、７…一つの絵柄、１０４…下層ピース群、１４１ないし１４９…下層のピース、１４１ｃないし１４９ｃ…真の絵柄、１４１ｄないし１４９ｄ…ダミーの絵柄、１０５…上層ピース群、１５１ないし１５９…上層のピース、１５１ｂないし１５９ｂ…不透明部。
【図１】
2011041589.tif 000003
【図２】
2011041589.tif 000004
【図３】
2011041589.tif 000005
【図４】
2011041589.tif 000006
【図５】
2011041589.tif 000007
【図６】
2011041589.tif 000008
【図７】
2011041589.tif 000009
【図８】
2011041589.tif 000010
【図９】
2011041589.tif 000011
【図１０】
2011041589.tif 000012
【図１１】
2011041589.tif 000013
【図１２】
2011041589.tif 000014